(57)【特許請求の範囲】
【請求項１】
一枚のプラスチックシートから一体成形された、立ち上がり部に凹状溝を有する包装容器であって、該凹状溝は立ち上がり面に沿って斜め方向に形成され、該容器を複数段積み重ねたときに、一方の容器の該凹状溝が隣接する他方の容器の立ち上がり上端の角に当接することにより両容器の密着の防止を可能としてなることを特徴とする包装容器。
【請求項２】
一枚のプラスチックシートから一体成形された、立ち上がり部に凹状溝を有する包装容器であって、該凹状溝は立ち上がり面に沿って斜め方向に形成され、該立ち上がり部がその上端において略水平に形成された天面部を有し、該容器を複数段積み重ねたときに、一方の容器の該凹状溝が隣接する他方の容器の天面部に当接することにより両容器の密着の防止を可能としてなることを特徴とする包装容器。
【請求項３】
前記凹状溝が商品を収納する収納部に面した立ち上がり部に形成されたことを特徴とする請求項１または請求項２のいずれかに記載の包装容器。
【請求項４】
前記凹状溝の最下点から垂直線を立ち上がり面に沿って引いたときに、該垂直線と該立ち上がり部の上端部とが交わる点が、該凹状溝の該垂直線に近接する側の端部、もしくはそれよりも該凹状溝の外側に位置するような角度に凹状溝が形成されたことを特徴とする請求項１または請求項２のいずれかに記載の包装容器。
【発明の詳細な説明】
【技術分野】
【０００１】
本発明は、一枚のプラスチックシートから一体成形される包装容器に関し、更に詳細には、該容器を複数段積み重ねたときに互いに嵌合することなく取り外しが容易な包装容器の構成に関するものである。
【背景技術】
【０００２】
従来、一枚のプラスチックシートから一体成形される包装容器は、様々な商品の形態に応じて成形加工できる利便性より、簡易プラスチック容器や化粧品その他の製品のレフィル用容器、外容器の中に収納する製品保護用容器、ブリスター容器のカバーなど幅広い用途で用いられている。
【０００３】
かかる包装容器は成形された後、保管時、搬送時等には積み重ねられた状態におかれていることが一般的であり、上記のような包装資材として用いられる際は、積み重ねられた状態から１枚ずつ取り外さなければならなかった。
【０００４】
この使用時の取り外し作業をより容易なものとするために、例えば、容器の側壁の外表面側に突出する種々の形状の突部（内側から見れば凹状溝）を設けたり（特許文献１）、側壁面に内／外に突出する２種以上の異なる縦リブを適宜間隔で平行に形成したりして（特許文献２）、重ね合わせた容器同士の密着を防ぐことが行われている。
【０００５】
しかしながら、前者に関しては、特に１枚のシートより成形される包装容器は可撓性があるため、積み重ねられた容器に上から力が加わると、容器の側壁が撓むことにより各容器の突部（凹状溝）どうしが嵌合してしまい、かえって取り外しにくくなってしまうものであった。そこで、容器の突部（凹状溝）の突出をもっと大きくすることが考えられるものの、成形後の容器を金型から抜くことが難しくなり、製造が困難になるという問題点を有するものであった。
【０００６】
また、後者に関しては、２種以上の成形用金型を使用して２種以上のプラスチック製容器を作成するか、または、１種のプラスチック製容器であってもこれを積み重ねる時に交互に積み重ねる必要があるなど、効率が悪く、また煩雑な作業を要するという問題点を有するものであった。
【０００７】
【特許文献１】実開平３−１１６３４
【特許文献２】実用登録第３１０８０４２号
【発明の開示】
【発明が解決しようとする課題】
【０００８】
そこで本発明は、従来の包装容器のかかる欠点を克服し、一枚のプラスチックシートから一体成形される包装容器に関し、更に詳細には、該容器を複数段積み重ねたときに互いに嵌合することなく取り外しが容易な包装容器の提供をその課題とするものである。
【課題を解決するための手段】
【０００９】
本発明は、上記課題を解決するものであり、一枚のプラスチックシートから一体成形された立ち上がり部に凹状溝を有する包装容器であって、該凹状溝は立ち上がり面に沿って斜め方向に形成され、該容器を複数段積み重ねたときに、一方の容器の該凹状溝が隣接する他方の容器の立ち上がり上端の角に当接することにより両容器の密着の防止を可能としてなることを特徴とする包装容器である。
【００１０】
さらに、本発明は、一枚のプラスチックシートから一体成形された、立ち上がり部に凹状溝を有する包装容器であって、該凹状溝は立ち上がり面に沿って斜め方向に形成され、該立ち上がり部がその上端において略水平に形成された天面部を有し、該容器を複数段積み重ねたときに、一方の容器の該凹状溝が隣接する他方の容器の天面部に当接することにより両容器の密着の防止を可能としてなることを特徴とする包装容器である。
【発明の効果】
【００１１】
すなわち、本発明の包装容器は、該容器を複数段積み重ねたときに、凹状溝が斜め方向に形成されているため、その突出部分が重ねられたほうの包装容器の立ち上がり上端の角もしくは天面部に当接する。よって、その状態で上から力が加わっても、該立ち上がり部への上からの負荷はかかるが横方向に撓ませる負荷は減少し、該立ち上がり部が撓んで各容器の凹状溝どうしが嵌合することもない。したがって、使用時には容易に１枚ずつ取り外すことができる。また、本発明の包装容器の製造時において、成形後の包装容器を金型から容易に抜くことができるため、製造も容易である。
【発明を実施するための最良の形態】
【００１２】
以下、本発明の包装容器の実施態様を、図面に基づいて具体的に説明する。なお、本発明はこれら実施態様に何ら制約されるものではない。
【００１３】
図１ａは本発明に係る包装容器の平面図、図１ｂは同側面図、図１ｃは同正面図、図１ｄは本発明に係る包装容器のＡ−Ａ’線断面図、図２は立ち上がり部に形成された凹状溝の拡大図、図３は本発明に係る包装容器を複数段積み重ねたときの凹状溝の当接の様子を示している拡大図、図４は本発明に係る別の実施態様の包装容器を複数段積み重ねたときの凹状溝の当接の様子を示している拡大図、図５は本発明に係る包装容器を複数段積み重ねたときの様子を示している斜視図、図６および図７は本発明に係る包装容器の別の実施態様の斜視図である。各図中、1は包装容器本体を、２は立ち上がり部を、３は立ち上がり上端の角を、４は天面部を、５は凹状溝を、６は立ち上がり面を、７は収納部を、５１は凹状溝の最下点を、５２ａ、５２ｂは凹状溝の両端を、５３は最下点から立ち上がり面に沿って引かれた垂直線を、さらに、Ｘは包装容器に収納される製品を、Ｙは垂直線５３と天面部４とが交わる点を、ＺはＹと凹状溝の端５２ａとの間の距離を、θは垂直線５３に対する凹状溝の傾きの角度をそれぞれ示す。
【００１４】
図１に示すように、本実施態様の包装容器本体１は、一枚のプラスチックシートから一体成形されており、収納される商品の両端付近を立ち上がり部２にて挟持するようにして、商品を収納保持する。該包装容器本体１は、図１ｄの断面図より分かるように、容器の外側の形状と内側の形状が同じで、複数の該容器を重ねることができる（図３ないし図５）。なお、立ち上がり部２は容器に収納される商品を安定的に保持できれば、その位置、形状などは特に問わない。
【００１５】
本実施態様の包装容器の立ち上がり部２には、商品の収納部７に面した側に凹状溝５が形成されており、その形状は立ち上がり上端部より立ち上がり面６に沿って斜め下方向に向けてやや傾いた略Ｕ字形をしている。
【００１６】
前記凹状溝５の斜めの形状について図２でさらに詳しく説明すると、凹状溝の最下点５１より立ち上がり面に沿って引かれた垂直線５３と天面部４と交わる点Ｙが、凹状溝の端５２ａか、またはそれよりも右方向（垂直線５３に近接する側の凹状溝の外側）に位置している。これにより、図３に示すように、本実施態様の包装容器を複数重ね合わせた時に、上に重ねられた包装容器の凹状溝の最下点５１付近が、下の隣接する容器の立ち上がり上端の角３と垂直線５３とが交わる付近（凹状溝の外側）で当接する。なお、最下点５１付近の凹状溝の断面形状が、図３に示すような緩やかな曲線ではなく、図４に示すような最下点における水平部分を有するように形成されている場合は、上に重ねられた包装容器の凹状溝の最下点５１付近が、下の隣接する容器の天面部４と垂直線５３とが交わる付近（凹状溝の外側）で当接する。点Ｙと凹状溝５の両端のうち垂直線５３に近接する方の端５２ａとの距離Ｚは、凹状溝５の幅や長さにもよるが、０〜５ｍｍ程度が好ましく、１〜３ｍｍ程度がより好ましい。
【００１７】
かかる位置で、上に重ねられた包装容器の凹状溝５の下部が、下側の包装容器の立ち上がり上端の角３もしくは天面部４に当接して凹状溝５には嵌入することはないため、上から力が加わってもそれ以上は下に動かず、従って各容器の凹状溝どうしが嵌合することがない。
【００１８】
垂直線５３に対する凹状溝の傾きの角度θは、本実施態様の包装容器を複数重ね合わせて上から力を加えた時に、各容器の凹状溝５どうしが嵌合することがなければ特に限定はされないが、あまり斜め過ぎると、製造時に金型から抜けにくくなることが予想されるため、金型から抜くときの妨げにならない程度に形成することが望ましい。特にθ＝１０度ないし５０度程度とすることが好ましく、θ＝１５度ないし４０度程度とすることがより好ましい。
【００１９】
なお、本実施態様の包装容器は、凹状溝５が容器表側、すなわち収納部７側から見て凹部となるように形成されているが、中に収納される商品の保持の妨げにならなければ、凹状溝５が容器裏側から見て凹部となるように形成されていてもよい。さらに、本実施態様では、凹状溝５が収納部７に面した立ち上がり部２に形成されているが、これを容器の外側に面した立ち上がり部２に形成してもよい。
【００２０】
また、図６に示すように、凹状溝５を同一の立ち上がり部２に複数箇所設けてもよい。このように複数箇所設けることにより、収納部が大きく形成されていて立ち上がり上端部３の長手方向辺が長い容器であっても、確実に互いの嵌合を防ぐことができる。
【００２１】
さらに、図７は、包装用台紙とプラスチック等の透明材質からなる容器（カバー）とを密着（勘合、接合）して形成した所謂ブリスター容器とよばれているものの該ガバーに、本件発明の凹状溝５を形成したものである。
【産業上の利用可能性】
【００２２】
以上説明したように、本発明の包装容器は、簡易プラスチック容器や化粧品その他の製品のレフィル用容器、外容器の中に収納する製品保護用容器、ブリスター容器のカバーなど幅広く利用可能なため、化粧品のみならず、あらゆる分野の包装容器に応用可能なものである。
【図面の簡単な説明】
【００２３】
【図１】ａは本発明に係る包装容器の平面図。ｂは同側面図。ｃは同正面図。ｄは本発明に係る包装容器のＡ−Ａ’線断面図。
【図２】本発明に係る包装容器の立ち上がり部に形成された凹状溝の拡大図。
【図３】本発明に係る包装容器を複数段積み重ねたときの凹状溝の当接の様子を示している拡大図。
【図４】本発明に係る別の実施態様の包装容器を複数段積み重ねたときの凹状溝の当接の様子を示している拡大図。
【図５】本発明に係る包装容器を複数段積み重ねたときの様子を示している斜視図。
【図６】本発明に係る包装容器の別の実施態様の斜視図。
【図７】本発明に係る包装容器の別の実施態様の斜視図。
【符号の説明】
【００２４】
１  …  …  包装容器本体
２  …  …  立ち上がり部
３  …  …  立ち上がり上端の角
４  …  …  天面部
５  …  …  凹状溝
６  …  …  立ち上がり面
７  …  …  収納部
５１  …  …  凹状溝の最下点
５２  …  …  凹状溝の両端
５３  …  …  最下点から立ち上がり面に沿って引かれた垂直線
Ｘ  …  …  包装容器に収納される商品
Ｙ  …  …  垂直線５３と天面部４とが交わる点
Ｚ  …  …  Ｙと凹状溝の端５２ａとの間の距離
θ  …  …  垂直線５３に対する凹状溝の傾きの角度
以    上
【図１】
0004763487.tif 000002
【図２】
0004763487.tif 000003
【図３】
0004763487.tif 000004
【図４】
0004763487.tif 000005
【図５】
0004763487.tif 000006
【図６】
0004763487.tif 000007
【図７】
0004763487.tif 000008